(57)【要約】【課題】搬送を容易に行うことができる。撮影装置を提供する。【解決手段】本発明に係る撮影装置は、下部ユニットと、カメラが設けられた上部ユニットと、前記上部ユニットを前記下部ユニット上に配置する第１態様と、前記上部ユニットが前記下部ユニット対して折り畳まれた第２態様とを選択的に取り得るように、前記両ユニットを連結する連結部と、前記上部ユニットを前記第１態様に保持する第１保持手段と、前記上部ユニットを前記第２態様に保持する第２保持手段と、を備えている。【選択図】図３
2020060699.tif 000002
【特許請求の範囲】
【請求項１】
下部ユニットと、
カメラが設けられた上部ユニットと、
前記上部ユニットを前記下部ユニット上に配置する第１態様と、前記上部ユニットが前記下部ユニット対して折り畳まれた第２態様とを選択的に取り得るように、前記両ユニットを連結する連結部と、
前記上部ユニットを前記第１態様に保持する第１保持手段と、
前記上部ユニットを前記第２態様に保持する第２保持手段と、
を備えている、撮影装置。
【請求項２】
前記第１保持手段は、前記上部ユニットが前記第１態様に遷移したときに自動的にロックを行う第１ロック機構を備えている、請求項１に記載の撮影装置。
【請求項３】
前記上部ユニットは、自重により前記第１ロック機構のロック状態への遷移を補助する、請求項２に記載の撮影装置。
【請求項４】
前記上部ユニットは、前記カメラが収容された内部空間と、当該内部空間を開閉可能に塞ぐカバーと、を有しており、
前記第１ロック機構は、前記カバーが閉じられた状態で、ロック状態を解除可能に構成されている、請求項２または３に記載の撮影装置。
【請求項５】
前記第２保持手段は、前記上部ユニットが前記第２態様に遷移したときに、自動的にロックを行うロック機構を備えている、請求項１から４のいずれかに記載の撮影装置。
【請求項６】
前記上部ユニットには、操作部と照明部とが設けられ、
前記下部ユニットには、撮影画像を印刷する印刷部が設けられている、請求項１から５のいずれかに記載の撮影装置。
【請求項７】
前記印刷部は、前記下部ユニットから着脱自在に構成されている、請求項６に記載の撮影装置。
【発明の詳細な説明】
【技術分野】
【０００１】
本発明は、撮影装置に関する。
【背景技術】
【０００２】
従来より、特許文献１に示す写真撮影遊戯装置などの撮影装置は、ゲームセンターなどの遊技場に設置されることが多い。
【先行技術文献】
【特許文献】
【０００３】
【特許文献１】特開２０１７−０３８３４４号公報
【発明の概要】
【発明が解決しようとする課題】
【０００４】
しかしながら、このような撮影装置は、大型であるため、搬送が困難であった。本発明は、上記問題を解決するためになされたものであり、搬送を容易に行うことができる。撮影装置を提供することを目的とする。
【課題を解決するための手段】
【０００５】
本発明に係る撮影装置は、下部ユニットと、カメラが設けられた上部ユニットと、前記上部ユニットを前記下部ユニット上に配置する第１態様と、前記上部ユニットが前記下部ユニット対して折り畳まれた第２態様とを選択的に取り得るように、前記両ユニットを連結する連結部と、前記上部ユニットを前記第１態様に保持する第１保持手段と、前記上部ユニットを前記第２態様に保持する第２保持手段と、を備えている。
【発明の効果】
【０００６】
本発明によれば、撮影装置を搬送しやすくすることができる。
【図面の簡単な説明】
【０００７】
【図１】本発明に係る撮影装置の一実施形態の第１態様を前方から見た斜視図である。
【図２】図１の撮影装置を後方から見た斜視図である。
【図３】第２態様にある図１の撮影装置を前方から見た斜視図である。
【図４】図３の撮影装置を後方から見た斜視図である。
【図５】図３の撮影装置を下方から見た斜視図である。
【図６】図１の撮影装置におけるカバーを開いた状態の撮影装置の斜視図である。
【図７】図１の撮影装置における固定状態にある第１連結具の斜視図である。
【図８】図１の撮影装置における固定状態にある第２連結具を示す斜視図である。
【図９Ａ】転倒防止部材の第１態様を示す側面図である。
【図９Ｂ】転倒防止部材の第２態様を示す側面図である。
【図１０】図１の撮影装置のハードウェア構成のブロック図である。
【図１１】図１の撮影装置のソフトウェア構成のブロック図である。
【図１２】図１の撮影装置が第２態様から第１態様へ遷移するのを示す斜視図である。
【図１３】図１の撮影装置における第１連結具が連結に至るまでの状態を示す斜視図である。
【図１４】図１の撮影装置における第２連結具の連結操作を説明する図である。
【図１５】図１の撮影装置における撮影手順を示すフローチャートである。
【図１６】全身撮影のための画面を示す図である。
【図１７】アップ撮影のための画面を示す図である。
【図１８】拡大用の画像を選択するための画面を示す図である。
【発明を実施するための形態】
【０００８】
＜１．撮影装置の概要＞
以下、本実施形態に係る撮影装置について説明する。図１は本実施形態に係る第１態様の撮影装置を前方から見た斜視図、図２は図１の撮影装置を後方から見た斜視図、図３は第２態様にある図１の撮影装置を前方から見た斜視図、図４は図３の撮影装置を後方から見た斜視図である。なお、以下では、図３，図４，及び図６に示す方向に基づいて説明を行うが、本発明に係る撮影装置の構成は、この方向に限定されるものではない。
【０００９】
図１〜図４に示すように、この撮影装置は、下部ユニット１と、この下部ユニット１上に配置される上部ユニット２と、を備えている。そして、上部ユニット２は、下部ユニット１の上面に設置される第１態様と、上部ユニット２の背面と下部ユニット１の背面とが向き合うように折り畳まれる第２態様と、を取り得るように連結機構によって下部ユニット１に対して連結されている。以下、各部材について詳細に説明する。
【００１０】
＜２．下部ユニット＞
下部ユニット１について図５及び図６も参照しつつ説明する。図５は図３の撮影装置を下方から見た斜視図、図６はカバーを開いた状態の撮影装置の斜視図である。図１〜図６に示すように、下部ユニット１は、直方体状の基台１１と、この基台１１の上面に一体的に連結された延在部１２と、を備えている。
【００１１】
図１及び図５に示すように、基台１１は、内部空間を有する直方体状の筐体を備えており、この筐体の下面の４隅には移動用のキャスター１３が取付けられている。また、各キャスター１３に隣接して設置部材１４が取付けられている。各設置部材１４は、撮影装置の設置面に当接可能な円板状の設置部１４１と、この設置部１４１から上方に延び、筐体の下面に連結される連結部材１４２と、を備えている。連結部材１４２は、ネジなどによって、筐体の下面に連結されており、筐体の内部へ進入する長さを調整することができる。これにより、筐体の下面からの連結部材１４２の長さを調整し、設置部１４１を設置面から離すと、撮影装置を移動することができる。一方、設置部１４１を設置面に当接させると、撮影装置を設置面に固定することができる。
【００１２】
また、基台１１の背面の下部の両側には、ゴムなどの緩衝材１９が取り付けられている。これにより、上部ユニット２が第２態様に遷移したときに、上部ユニット２の背面と下部ユニット１の背面とが直接接しないようになっている。すなわち、第２態様にあるときには、両者１，２の間に隙間を形成するように、緩衝材１９が配置される。上部ユニット２及び下部ユニット１の筐体は、一般的に金属等で形成されるため、両者が直接接して傷などが生じないようにするためである。あるいは、上部ユニット２及び下部ユニット１の背面の概ね全面を樹脂材料、ゴムなどの弾性材料で形成している場合には、これらの背面が直接接するようにしてもよい。
【００１３】
基台１１の筐体の前面には内部空間に通じる開口が形成されており、この開口を矩形状の第１カバー１５によって塞ぐようになっている。この第１カバー１５の右辺はヒンジを介して筐体の開口の縁部に取付けられており、これによって第１カバー１５は、開口を開閉自在に閉じるようになっている。
【００１４】
図３及び図６に示すように、第１カバー１５の中央には、後述するプリンタ１６で印刷されたプリント紙が排出される排出口１５１が形成され、この右側には硬貨を投入するための投入口１５２が形成されている。投入口１５２の背面には、コインセレクタ１５３が設けられており、投入された硬貨を識別できるようになっている。
【００１５】
筐体の内部空間の上部には、プリンタ１６が着脱自在に設置されており、第１カバー１５が閉じられたとき、プリンタ１６におけるプリント紙の排出口１６１と、第１カバー１５の排出口１５１とが一致するようにプリンタ１６が配置されている。プリンタ１６の下方には、撮影装置の制御基板１７が配置され、その左側には電源装置（図示省略）が配置されている。また、制御基板１７の右側には、投入された硬貨が収容される金庫１９が配置されている。後述するように、制御基板１７は、撮影装置の動作を制御するものであり、プリンタ１６、電源装置、コインセレクタ１５３のほか、後述する各種の電子部品の制御を行うようになっている。
【００１６】
次に、延在部１２について説明する。延在部１２は、内部空間を有する直方体状に形成されており、基台１１の筐体の上面から上方に延びるように配置されている。延在部１２の左右方向の幅は基台１１と同じであるが、前後方向の幅が基台１１よりも小さく形成されている。そして、延在部１２の背面と基台部１１の背面とが面一となるように配置されている。
【００１７】
延在部１２の前面には、内部空間を塞ぐ矩形状の第２カバー１２１が着脱自在に取付けられている。第２カバー１２１の前面の中央には矩形状の第１開口１２２が形成されており、この第１開口１２２には光を透過する矩形状の透過板１２３が嵌め込まれている。また、第２カバー１２１の下端の両隅には、矩形状の第２開口１２４がそれぞれ形成されている。
【００１８】
延在部１２の内部空間には、蛍光灯、ストロボ発光管、ＬＥＤランプ等で形成された第１発光ユニット１２５が設けられており、この第１発光ユニット１２５からの光が、透過板１２３を介して外部に照射されるようになっている。また、延在部１２の下端の両隅には、スピーカ１２６がそれぞれ取付けられており、このスピーカ１２６が、第２カバー１２１の第２開口１２４にそれぞれ嵌め込まれている。したがって、スピーカ１２６から発せられる音が第２開口１２４を介して外部に流れるようになっている。
【００１９】
また、図３及び図４に示すように、延在部１２の上面の両側には、開口が形成されている。すなわち、延在部１２の上面の右側に形成されている第３開口１０３からは、後述する第１連結具４の被係合部４２が露出しており、左側に形成されている第４開口１０４からは、後述する第２連結具５のレバー５２が露出している。
【００２０】
延在部１２の上面は、上部ユニットの下面と対向するため、直接接しないように、上述したような緩衝材１９等を取り付けたり、延在部１２の上面及び上部ユニット２の下面をゴム、樹脂材料などの弾性材料で形成し、互いに接するようにしてもよい。あるいは、両者の一部を凹ませるなどして一部のみが接するようにすることもできる。また、組み立て前の第２態様では、図３及び図４に示すように、延在部１２の上面及び上部ユニット２の下面が露出するため、この面に、組み立てのための説明書を貼り付けておいてもよい。正面側からの作業の説明書は、正面側に作業者が立った時に読めるような方向に下部ユニット１の上面に張り付けられ、背面側からの作業の説明書は、背面側に作業者が立った時に読めるような方向に上部ユニット２の下面に張り付けられる。
【００２１】
さらに、延在部１２の右側面及び左側面の上端付近には、第１把手部１２９が設けられている。
【００２２】
＜３．上部ユニット＞
次に、上部ユニット２について説明する。ここでは、上述した第１態様にある上部ユニット２を基準にした方向により説明する。図１〜図６に示すように、上部ユニット２は、内部空間を有する直方体状の筐体２１を備えており、この筐体２１の左右方向及び前後方向の幅は、延在部１２と同じである。したがって、第１態様では、延在部１２の上面に、上部ユニット２の下面が一致するように接し、延在部１２の上面から上部ユニット２が延びるように配置される。
【００２３】
図６に示すように、上部ユニット２の筐体２１の前面には開口が形成されており、この開口を塞ぐように矩形状のカバー２２が配置されている。カバー２２の右辺は、ヒンジを介して開口の縁部に連結されており、これによって、カバー２２が開閉自在に開口を閉じるようになっている。カバー２２は、上半分を構成し光を透過する透過板２２１と、下半分を構成する不透過板２２２と、によって形成されている。透過板２２１の下部中央には、矩形状の第１開口２２３が形成されており、不透過板２２２の上部中央には矩形状の第２開口２２４が形成されている。また、筐体２１の右側面及び左側面には、第２把手部２１９が設けられている。
【００２４】
次に、筐体２１の内部空間について説明する。内部空間の上縁付近には、左右方向に延びる第２発光ユニット２３が取付けられている。また、この第２発光ユニット２３の両側には、下方に延びる第３発光ユニット２４がそれぞれ取付けられている。これら発光ユニット２３，２４は、それぞれ、第１発光ユニット１２５と同様に、ＬＥＤランプ等で形成されており、全体としてＵ字状に配置されている。
【００２５】
第２発光ユニット２３の下方には、上述した第１開口２２３と対応する位置にカメラ２５が設けられている。このカメラ２５は、第１開口２２３を介して、上部ユニット２から前方及び斜め下方を撮影できるように、やや斜めに設置されている。したがって、このカメラ２５によって、撮影装置の前方にいる人を撮影できるようになっている。
【００２６】
カメラ２５の下方には、タッチパネルモニタ２６が配置されている。このタッチパネルモニタ２６は、上述した第２開口２２４と対応する位置に配置されており、カバー２２が閉じられたときには、カバー２２から、このタッチパネルモニタ２６が露出するようになっている。このタッチパネルモニタ２６には、撮影装置を操作するための画面、及びカメラ２５により撮影された被写体が写る画面等が表示される。
【００２７】
また、タッチパネルモニタ２６の下方には、通信装置２７、上部ユニット用の電源装置等の各種電子部品が配置される。そして、上部ユニット２の各種電子部品も、下部ユニット１の制御基板１７によって制御される。
【００２８】
また、図３及び図６に示すように、上部ユニット２の下面の両側には、開口が形成されている。すなわち、上部ユニット２の下面の右側に形成されている第１開口２０１からは、後述する第１連結具４の係合部４１が露出しており、左側に形成されている第２開口２０２からは、後述する第２連結具５の突部５１が露出している。また、図示を省略するが、上部ユニット２の電子部品と下部ユニット１の電子部品を接続するケーブル等はこれら開口２０１，２０２及び下部ユニット１の第３及び第４開口１０３，１０４を通過するように構成できる。あるいは、他の開口を形成し、これを通すこともできる。また、ケーブルを保護するようにカバーを設けることもできる。
【００２９】
＜４．連結機構＞
次に、上部ユニット２と下部ユニット１とを連結する連結機構について説明する。上記のように、上部ユニット２は下部ユニット１の背面に折り畳むことができるようになっている。そのため、第１態様にある上部ユニット２の下面の後端縁と、下部ユニット１の延在部１２の上面の後端縁とは、ヒンジ（連結部）３によって連結されている。図３及び図４に示すように、上部ユニット２が折り畳まれて第２態様にあるときには、上部ユニット２の背面と下部ユニット１の背面とが互いに対向するようになっている。
【００３０】
また、上部ユニット２が、第１態様にあるときに、下部ユニット１上で動かないように固定されるため、この撮影装置では、第１連結具４及び第２連結具５を備えている。これら第１連結具（第１ロック機構）４及び第２連結具（第２ロック機構）５が、本発明に係る第１保持手段を構成する。
【００３１】
次に、図７を参照しつつ、第１連結具について説明する。図７は固定状態にある第１連結具の斜視図である。図７に示すように、第１連結具４は、上部ユニット２の下部の右端部に設けられる係合部４１と、延在部１２の上部の右端部に設けられる被係合部４２と、を備えている。係合部４１は、上部ユニット２の右側壁の内面に取り付けられ、板状に形成された本体部４１１を備えており、本体部４１１の下端部は、上部ユニット２の第１開口２０１から突出している（図４参照）。そして、この突出部分には、上部ユニット２から外側（右側）へと延びる突部４１２が形成されている。この突部４１２は、上方にいくにしたがって左右方向の幅が広くなるように断面Ｖ字状に形成されている。
【００３２】
また、本体部４１１は、バネ（図示省略）によって上部ユニット２の右側壁の内面に向かって付勢されるように取り付けられ、バネに抗して内面から離れるように移動可能となっている。さらに、図１に示すように、上部ユニット２の右側壁の外面には、この本体部４１１をバネに抗して内面から離間させるようなレバー４３（図１等参照）が設けられている。したがって、係合部４１は、上部ユニット２の外側からレバー４３を操作することで、内面から離間させることができる。
【００３３】
被係合部４２は、板状に形成され、延在部１２の第３開口１０３の右辺の内壁面に沿って固定されている。そして、上部ユニット２が第１態様にあるときには、係合部４１の突部４１２が、下部ユニット１の第３開口１０３から内部空間へと進入し、被係合部４２の下縁に係合するようになっている。これにより、両者４１，４２が固定されるようになっている。
【００３４】
次に、第２連結具について、図８を参照しつつ説明する。図８は固定状態にある第２連結具を示す斜視図である。同図に示すように、第２連結具５は、公知のパッチン錠によって構成されている。上部ユニット２の左側壁の内面には、パッチン錠５の突部５１が取付けられている。一方、下部ユニット１の延在部１２の左側壁の内面には、パッチン錠５のレバー５２が取付けられている。したがって、上部ユニット２が第１態様にあるとき、上部ユニット２のカバー２２を開くと、パッチン錠５の突部５１が第４開口１０４を介して見え、さらに上部ユニット２の第２開口２０２と延在部１２の第４開口１０４とが一致しているため、これら開口２０２，１０４を介して、延在部１２の内部空間にあるレバー５２を操作することができる。すなわち、第２連結具５は、上部ユニット２のカバー２２を開いた上で、レバー５２を突部５１に係合させて両者を固定状態にしたり、あるいはレバー５２を突部５１から離脱して両者の固定状態を解除することができる。
【００３５】
次に、上部ユニット２が第２態様にあるときの固定について説明する。図５に示すように、上部ユニット２が第２態様にあるときには、上部ユニット２と下部ユニット１とは、第３連結具（第２保持手段）６によって連結される。第３連結具６は、上部ユニット２の上面の後端縁に取り付けられた係合部６１と、下部ユニット１の下面の後端縁に取り付けられた被係合部６２と、を備えている。係合部６１を被係合部６２は、互いに着脱自在に固定できるように構成されている。そして、図５に示すように、上部ユニット２が第２態様になったときには、係合部６１を被係合部６２に固定する。係合部６１及び被係合部６２の構成は、特には限定されず、両者が着脱自在に固定できる機構であればよい。例えば、第２態様にある上部ユニット２は、ヒンジ３によって下部ユニット１の上端から吊り下げられた状態にあるため、第２態様に遷移したとき、上部ユニット２の自重により係合部６１が、被係合部６２に自動的に係合するような構成が好ましい（ロック機構）。その他、上述したパッチン錠により第３連結具６を構成することができる。
【００３６】
＜５．転倒防止部材＞
次に、転倒防止部材７について説明する。図１に示すように、転倒防止部材７は、上部ユニット２が第１態様にあるときに、撮影装置が前方に転倒するのを防止する部材である。具体的には、図９Ａに示すように、転倒防止部材７は、板状に形成され、基台１１の下端部の前端に旋回可能に連結された本体部７１と、この本体部７１を基台１１に固定する一対の連結部材７２と、を備えている。連結部材７２は、金属等の剛性が高い材料により棒状に形成され、第１端部が本体部７１の後端の両側と回転可能に連結され、第２端部が基台１１の各側面にそれぞれ連結されている。また、後述するように、連結部材７２の第２端部は、基台１１の側面に対しては２箇所のいずれかに固定可能となっている。そして、本体部７１は、基台１１の前方で設置面に沿って延びる第１態様と、基台１１の前面と対向するように折り畳まれる第２態様と、のいずれかを選択的に取り得るようになっている。図９Ａに示すように、本体部７１が第１態様にあるときは、連結部材７２の第２端部は、基台１１の下面からやや上方にある第１固定部７３１に固定される。一方、図９Ｂに示すように、本体部７１が第２態様にあるときには、本体部７１が上方に旋回した状態を保持するため、連結部材７２の第２端部は、第１固定部７３１よりも後方で且つやや下方に配置された第２固定部７３２に固定される。但し、連結部材７２の構成は、これに限定されず、本体部７１を第１態様または第２態様のいずれかに保持できるような種々の構成を採用することができる。
【００３７】
＜６．撮影装置のハードウェア構成＞
次に、図１０を用いて、本実施形態に係る撮影装置のハードウェア構成について説明する。図１０は撮影装置のハードウェア構成の一例を模式的に例示する。
【００３８】
図１０に示すように、本実施形態に係る撮影装置は、制御基板に設けられた制御部１７１、記憶部１７２、カメラ２５、タッチパネルモニタ２６、スピーカ１２６、通信装置２７、第１〜第３発光ユニット１２５，２３，２４、コインセレクタ１５３、プリンタ１６、及び電源装置１８が、電気的に接続されている。
【００３９】
制御部１７１は、ＣＰＵ（Central Processing Unit）、ＲＡＭ（Random Access Memory）、ＲＯＭ（Read Only Memory）等を含み、情報処理に応じて各構成要素の制御を行う。記憶部１７２は、例えば、ソリッドステートドライブ、ハードディスクドライブ等の補助記憶装置であり、制御部１７１で実行されるプログラム等の各種データを記憶する。
【００４０】
プログラムは、撮影の受け付け、受け付けた依頼に応じた写真撮影、印刷を行うための処理を撮影装置に実行させるためのプログラムである。この他、記憶部１７２には、各処理過程で利用される画面データ等が記憶される。詳細は後述する。
【００４１】
通信装置２７は、例えば、有線ＬＡＮ（Local Area Network）モジュール、無線ＬＡＮモジュール等であり、ネットワークを介した有線又は無線通信を行うためのインタフェースを備えている。撮影装置は、通信装置２７を介して、外部サーバ等とデータ通信を行うことができる。
【００４２】
カメラ２５は、制御部１７１による制御に従って撮影を行い、撮影によって得られた画像をＲＡＭ又は記憶部１７２に記憶する。本実施形態では、撮影時に利用者の位置が概ね決まっているため、撮影時の利用者とカメラ２５との距離が概ね決まっている。そのため、本実施形態に係るカメラ２５の焦点距離は一定である。しかしながら、カメラ２５の構成は、このような例に限られなくてもよく、ズームレンズを備えるカメラ２５の場合は、カメラ２５の焦点距離は、必要に応じて制御部１７１によって適切になるように制御されてもよい。
【００４３】
タッチパネルモニタ２６には、カメラ２５により撮影された画像が表示される。制御部１７１は、所定のタイミングで、カメラ２５により被写体（利用者）の静止画像を撮影する。また、カメラ２５は、リアルタイムに画像を取り込んで、当該画像を表わすライブ映像用の画像信号を出力する。カメラ２５から出力された画像信号は、制御部１７１のＲＡＭに一時的に記憶されると共にタッチパネルモニタ３１に送信される。これにより、タッチパネルモニタ２６では、カメラ２５により撮影された静止画像、当該画像信号に基づくライブ映像が表示される。
【００４４】
さらに、タッチパネルモニタ２６には、上記プログラムに基づいて、撮影の案内を示す案内画面等が表示される。各画面では、選択操作等の操作入力が受け付けられる。制御部１７１は、各画面に対する操作入力を検知し、検知された操作入力に応じた処理を行う。なお、タッチパネルモニタ２６を操作するための電子ペンを配置することもできる。
【００４５】
発光ユニット１２５，２３，２４は、制御部１７１により制御され、撮影時に発光するようになっている。また、制御部１７１により、利用者の撮影処理の段階に応じて、各発光ユニット１２５，２３，２４の明るさを調節することもできる。
【００４６】
スピーカ１２６は、制御部１７１による制御に従って、写真撮影の案内等の音声出力を行う。また、プリンタ１６は、制御部１７１による制御に従って、撮影された画像又は編集済みの画像をプリント紙に印刷し、印刷後のプリント紙を排出口１５１から排出する。
【００４７】
（その他）
なお、撮影装置の具体的なハードウェア構成に関して、実施形態に応じて、適宜、構成要素の省略、置換及び追加が可能である。例えば、制御部１７１は、複数のプロセッサを含んでもよい。また、撮影装置は、提供されるサービス専用に設計された情報処理装置の他、汎用のＰＣ（Personal Computer）等であってもよい。例えば、タッチパネルモニタ２６をタブレットＰＣにより構成することもできる。この場合、ハードウェア構成の一部を、制御部１７１ではなく、タブレットＰＣにより制御することもできる。例えば、カメラ２５、スピーカ１２６、プリンタ１６をタブレットＰＣにより制御し、その他の電子部品、例えば、発光ユニット１２５，２３，２４、電源の制御等を制御基板１７で行うことができる。
【００４８】
＜７．撮影装置のソフトウェア構成＞
次に、図１１を用いて、本実施形態に係る撮影装置のソフトウェア構成の一例を説明する。図１１は、本実施形態に係る撮影装置のソフトウェア構成の一例を模式的に例示する。
【００４９】
撮影装置の制御部１７１は、記憶部１７２に記憶されたプログラムをＲＡＭに展開する。そして、制御部１７１は、ＲＡＭに展開されたプログラムをＣＰＵにより解釈及び実行して、各構成要素を制御する。これによって、図１１に示すように、本実施形態に係る撮影装置の制御部１７１等は、ソフトウェアモジュールとして、受付部５７、撮影処理部５８、及び出力処理部５９を備えるように構成される。
【００５０】
受付部５７は、撮影の依頼に関する操作画面をタッチパネルモニタ２６に表示すると共に、当該タッチパネルモニタ２６に対するタッチ操作による利用者の入力を受け付けて、その入力に応じた処理を実行する。これにより、受付部５７は、利用者からの撮影の依頼、撮影、印刷に関する設定等を受け付ける。
【００５１】
撮影処理部５８は、撮影の案内を示す案内画面等をタッチパネルモニタ２６に表示させると共に、カメラ２５による撮影処理を実施する。これにより、撮影処理部５８は、利用者（被写体）の写る画像を取得する。出力処理部５９は、最終的に得られた画像を紙媒体に印刷し、印刷した画像を排出口１５１から出力する。また、出力処理部５９は、生成された画像を、外部サーバに送信することもできる。
【００５２】
撮影装置の各ソフトウェアモジュールに関しては後述する動作例で詳細に説明する。なお、本実施形態では、撮影装置の各ソフトウェアモジュールがいずれも汎用のＣＰＵにより実現される例について説明している。しかしながら、以上のソフトウェアモジュールの一部又は全部が、１又は複数の専用のハードウェアプロセッサにより実現されてもよい。また、撮影装置のソフトウェア構成に関して、実施形態に応じて、適宜、機能の省略、置換及び追加が行われてもよい。
【００５３】
＜８．撮影装置の使用方法＞
＜８−１．撮影装置の設置作業＞
この撮影装置は、移動可能になっており、例えば、イベント会場等で使用するために搬送される。その際、まず、図３及び図４に示すように、上部ユニット２を第２態様にしておく。この状態で上部ユニット２と下部ユニット１とは第３連結具６で既に固定されている。また、下部ユニット１の第１カバー１５を開き、プリンタ１６を取り外しておく。さらに、転倒防止部材７は、第２態様にしておく。そして、設置部材１４の設置部１４１を設置面から離間させると、撮影装置はキャスター１３により移動可能となる。
【００５４】
プリンタ１６は、重量が大きいため、プリンタ１６を下部ユニット１から取り外しておくと、撮影装置の重量を低減でき、低コストでの搬送が可能となる。なお、プリンタ１６は、撮影装置とは別個に搬送する。
【００５５】
そして、イベント会場に撮影装置が到着すると、設置場所に撮影装置を移動する。このとき、下部ユニット１の第１把持部１２９を手で把持しながら、撮影装置を移動することができる。次に、設置部材１４の設置部１４１を設置面に固定するとともに、転倒防止部材７を第１態様に変位させる。続いて、基台１１の第１カバー１５を開き、プリンタ１６を取り付ける。これに続いて、第３連結具６の係合部６１と被係合部６２との固定状態を解除するとともに、図１２に示すように、上部ユニット２を上方に旋回する。このとき、上部ユニット２の側面の第２把手部２１９を把持しながら、上部ユニット２を旋回させる。そして、図１３に示すように、上部ユニット２が第１態様に遷移する過程においては、第１連結具４の係合部４１の突部４１２が、被係合部４２に沿って下方に移動する。このとき、係合部４１の本体部４１１は、上部ユニット２の自重に押されることも手伝って、バネに抗して上部ユニット２の右側壁部から離間しているが、突部４１２が被係合部４２を下方に向かって乗り越えると、バネによって付勢され、被係合部４２の下端に係合する。これにより、図７に示すように、係合部４１と被係合部４２とが固定され、上部ユニット２は下部ユニット１に対し、第１態様を維持するように固定される。
【００５６】
次に、図１４に示すように、上部ユニット２のカバー２２を開き、第２連結具５を固定する。すなわち、作業者は、上部ユニット２の内部空間に手を入れて、第２開口２０２及び第４開口１０４を介して、下部ユニット１の内部空間の左側のレバー５２を操作し、上部ユニット２の突部５１に固定する。こうして、上部ユニット２は、第１連結具４及び第２連結具５により、左右の各端部で下部ユニット１に固定される。その後、電源に接続すると、撮影装置は、撮影の可能な状態となる。
【００５７】
＜８−２．撮影手順＞
次に、図１５を用いて、本実施形態に係る撮影装置による撮影手順について説明する。図１５は、本実施形態に係る撮影装置の撮影処理手順の一例を例示するフローチャートである。
【００５８】
撮影装置の制御部１７１は、受付部５７として動作し、図１５に示す処理手順に従って、撮影依頼の受付処理を行う。例えば、制御部１７１は、受付処理を開始するまでの間、タッチパネルモニタ２６に広告等のデモ画面を表示し、タッチパネルモニタ２６に対してタッチ操作されたことに応じて、以下の受付処理を開始する。なお、以下で説明する処理手順は一例に過ぎず、各処理は可能な限り変更されてもよい。また、以下で説明する処理手順について、実施の形態に応じて、適宜、ステップの省略、置換、及び追加が可能である。
【００５９】
（ステップＳ１００）
ステップＳ１００では、制御部１７１は、印刷枚数を選択させる画面をタッチパネル２６に表示する。例えば、制御部１７１は、１枚、２枚等の印刷枚数に対応するボタンをタッチパネルモニタ２６に表示し、いずれかのボタンを利用者にタッチさせる。これにより、制御部１７１は、印刷枚数の選択を受け付ける。印刷枚数の選択が完了すると、制御部１７１は、次のステップＳ１０２に処理を進める。
【００６０】
（ステップＳ１０２）
ステップＳ１０２では、制御部１７１は、ステップＳ１０１の選択結果に基づく金額をタッチパネルモニタ２６に表示し、硬貨の投入口１５２への投入を促す。そして、利用者により料金が投入口１５２に投入されると、制御部１７１は、コインセレクタ１５３により、正しい額の料金が投入されたか否かを判定し、正しい料金が投入された場合には、次の処理に進む。一方、正しい料金が投入されていない場合には、タッチパネルモニタ２６にその旨を表示し、正しい額の料金の投入を促す。
【００６１】
（ステップＳ１０３）
ステップＳ１０３では、制御部１７１は、印刷するシールのデザインのテンプレート画像を選択させる画面をタッチパネルモニタ２６に表示する。各デザインは、記憶部１７２に記憶されていてもよいし、ネットワークを介してＮＡＳ（Network Attached Storage）等の他の情報処理装置からダウンロードされてもよい。各デザインは、撮影された複数の画像が配置されるレイアウトが相違したり、シールに描かれている色、イラストなどが相違する。
【００６２】
制御部１７１は、例えば、各デザインのサムネイルをタッチパネルモニタ２６に表示し、いずれかのサムネイルを利用者にタッチさせる。これにより、制御部１７１は、印刷するシールのデザインの選択を受け付ける。デザインの選択が完了すると、制御部１７１は、次のステップＳ１０４に処理を進める。
【００６３】
（ステップＳ１０４）
ステップＳ１０４では、制御部１７１は、撮影された画像に合成される背景や前景のデザインを選択させる画面をタッチパネルモニタ２６に表示する。各デザインは、記憶部１７２に記憶されていてもよいし、ネットワークを介してＮＡＳ（Network Attached Storage）等の他の情報処理装置からダウンロードされてもよい。各デザインは、被写体に係る画像の背景及び前景の少なくとも一方が含まれており、以下では、これを合成用画像と称することとする。
【００６４】
制御部１７１は、例えば、各合成用画像のサムネイルをタッチパネルモニタ２６に表示し、いずれかのサムネイルを利用者にタッチさせる。これにより、制御部１７１は、合成用画像の選択を受け付ける。合成用画像の選択が完了すると、制御部１７１は、次のステップＳ１０５に処理を進める。
【００６５】
（ステップＳ１０５）
ステップＳ１０５では、制御部１７１は、撮影処理部５８として動作し、まず、全身撮影を開始するための画面をタッチパネルモニタ２６に表示する。例えば、制御部１７１は、撮影プレイの開始を利用者に容認させるためのスタートボタンを含む画面をタッチパネルモニタ２６に表示し、利用者に対して、スタートボタン（図示省略）をタッチさせる。これにより、図１６に示すように、ライブ映像が表示された画面がタッチパネルモニタ２６に表示される。ユーザは、ライブ映像を見ながら、適宜ポーズを取る。そして、カウントダウン７２が行われた後、カメラ２５により全身撮影が行われる。ここでは、カウントダウン７２とともに、２回の撮影が行われる。生成された全身撮影に係る２枚の撮影画像は、制御部１７１により、記憶部１７２に記憶される。なお、撮影回数は特には限定されず、２回以外でもよい。この点は、後述するアップ撮影でも同じである。
【００６６】
（ステップＳ１０６）
こうして全身撮影が完了すると、これに続いて、顔付近が大きく写るように撮影を行うアップ撮影が行われる。アップ撮影も全身撮影と同様の手順で行われる。すなわち、アップ撮影を行うことの案内をタッチパネルモニタ２６に表示した後、ユーザがスタートボタン（図示省略）をタッチすると、図１７に示すように、カウントダウン７３が行われた後、カメラ２５によりアップ撮影が行われる。ここでは、カウントダウンとともに、２回の撮影が行われる。生成されたアップ撮影に係る２枚の撮影画像は、制御部１７１により、記憶部１７２に記憶される。
【００６７】
（ステップＳ１０７）
続いて、制御部１７１は、印刷されるシートの中で大きくする画像の選択を、ユーザに行わせる。すなわち、タッチパネルモニタ２６には、図１８に示すように、既に撮影した撮影画像が表示され、この中から、シールの中で大きくする画像を選択する。そして、ユーザがいずれかの画像をタッチすると、タッチされた画像に選択枠７９が表示される。そして、選択を確定する場合には、ＯＫボタン７１をタッチする。したがって、ＯＫボタン７１がタッチされるまでは、いずれの画像も選択することができる。これに続いて、制御部１７１は、ステップＳ１０３で選択されたテンプレート画像上に各撮影画像を配置してシート画像を生成する。テンプレート画像上の撮影画像の配置位置は、ステップＳ１０７での選択結果に応じて決定される。
【００６８】
（ステップＳ１０８）
次に、制御部１７１は、出力処理部５９として動作し、プリンタ１６を利用して決定されたシート画像をプリント紙に印刷する印刷処理を開始する。このとき、制御部１７１は、ステップＳ１０１で選択された枚数分のプリント紙を印刷する。
【００６９】
制御部１７１は、ステップＳ２１０で開始した印刷処理が完了したことに応じて、プリント処理が完了したことを示す案内をタッチパネルモニタ２６に表示する。そして、制御部１７１は、プリント紙を排出口１５１から排出する。これにより、制御部１７１は、本動作例に係る撮影処理を終了する。なお、上記の説明では、撮影手順をタッチパネルモニタ２６に表示してユーザに対し撮影に係る行動を促しているが、スピーカ１２６から音声によって撮影手順を知らせることもできる。
【００７０】
＜８−３．撮影装置の撤去作業＞
撮影が終了後、撮影装置を撤去するときには、上部ユニット２を第２態様にする。このとき、まず、上部ユニット２のカバー２２を開き、第２連結具５のレバー５２を突部５１から取り外す。次に、カバー２２を閉じ、上部ユニット２の右側壁のレバー４３を押すと、レバー５２に接続された係合部４１に（図７のほぼ左手前方向）に力が加わり、係合部４１が変形する。その結果、突部４１２が被係合部４２から離脱する。これにより、第１連結具４における係合部４１と被係合部４２との固定状態が解除される。これに続いて、レバー４３を押したまま（突部４１２が被係合部４２から外れた状態のまま）で、第２把持部２１９を把持して上部ユニット２を後方に旋回させ、第２態様に遷移させる。そして、第３連結具６の係合部６１と被係合部６２とを固定すれば、上部ユニット２は、第２態様に保持される。
【００７１】
次に、下部ユニット１の第１カバー１５を開いてプリンタ１６を取り出した後、第１カバー１５を閉じる。続いて、転倒防止部材７を第２態様に遷移し、設置部材１４の設置部１４１を設置面から離間させれば、撮影装置は移動可能な状態となる。
【００７２】
＜９．特徴＞
以上のように、本実施形態によれば、上部ユニット２を下部ユニット１に対して折り畳むことができるため、撮影装置をコンパクトにすることができる。すなわち、この種の撮影装置は、上方から撮影を行うため、上下方向の高さが高い。したがって、上記のように、折り畳むことができれば、撮影装置の上下方向の高さを約半分にすることができるため、搬送を容易に行うことができ、搬送コストも低減することができる。
【００７３】
本実施形態では、２つの連結具４，５によって上部ユニット２を下部ユニット１に対し、第１態様を保持するように固定される。まず、第１連結具４は、上部ユニット２を第２態様から第１態様に遷移する過程で自動的に固定されるものである。したがって、作業者は上部ユニット２を第１態様に遷移する作業に専念することができる。こうして、第１連結具４により、上部ユニット２が第１態様に保持されると、作業者は、この保持状態を強固にする第２連結具５の固定作業に専念することができる。第２連結具５は、上部ユニット２のカバー２２を開いた上で、作業者の操作により固定される。したがって、上部ユニット２は、左右の２つの連結具４，５によって固定されるため、強固に第１態様を維持することができる。
【００７４】
また、第２連結具５は、上部ユニット２のカバー２２を開かなければ操作できないため、カバー２２を施錠しておけば、許可なく上部ユニット２を旋回することができないようになっている。そして、上部ユニット２を第１態様から第２態様に遷移する際には、第２連結具５を解除状態にすれば、その後は、上部ユニット２の外側からレバー４３を操作することで、第１連結具４を解除状態にすることができる。したがって、上部ユニット２のカバー２２を閉じた状態で、外側からの操作で第１連結具４の解除を行った上で、上部ユニット２の旋回を行うことができるため、旋回作業を容易に行うことができる。
【００７５】
＜１０．変形例＞
以上、本発明の一実施形態について説明したが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００７６】
＜１０−１＞
上記実施形態では、本発明の第１保持手段として２つの連結具を用いて、上部ユニットを第１態様に保持する態様を示したが、連結具４，５の態様はこれに限定されない。すなわち、本発明の第１ロック機構（第１連結具４）は、上部ユニット２が第２態様から第１態様へ遷移する際に、作業者が特に固定作業を行うことなく、自動的に固定を行うことができるような機構であれば、特には限定されない。同様に、本発明の第２ロック機構（第２連結具５）は、上部ユニット２のカバー２２を開いてから作業者によって固定作業が行えるような機構であれば、特には限定されない。
【００７７】
また、上記のような連結具以外を採用することもできる。すなわち、本発明に係る第１保持手段は、上部ユニット２を第１態様に保持することができるのであれば、自動、手動のいずれであってもよく、また、個数も特には限定されない。したがって、自動的に固定ができるような機構のみで構成してもよい、手動で固定ができる機構のみで構成することもできる。また、本発明に係る第２保持手段についても同様であり、上記実施形態では、一態様として第３連結具６を例にしたが、第２態様にある上部ユニット２が動かないように保持されるような機構であれば、特には限定されない。
【００７８】
＜１０−２＞
上部ユニット２を第２態様に保持するための連結具も特には限定されない。
【００７９】
＜１０−３＞
転倒防止部材７の構成も特には限定されず、撮影装置が前方に転倒しないように構成されていればよい。また、撮影装置の背面に転倒防止装置を追加で設けることもできる。
【００８０】
＜１０−４＞
上記実施形態に係る撮影装置に係るハードウェア構成は一例であり、種々の変更が可能である。上記実施形態では、主として、カメラ２５、タッチパネルモニタ２６、第２及び第３発光ユニット２３，２４、通信装置２７を上部ユニット２に収容し、制御基板１７、電源装置、プリンタ１６、コインセレクタ１５３、第１発光ユニット１２５を下部ユニット１に収容しているが、少なくともカメラ２５が上部ユニット２に収容されていれば、他の部品は、上部ユニット２及び下部ユニット１のいずれに配置されていてもよい。
【００８１】
＜１０−５＞
上記実施形態に係る撮影処理に係るソフトウェア構成は一例であり、種々の変更が可能である。すなわち、上記実施形態では、制御部１７１が、受付部５１、撮影処理部５２、出力処理部５５を構成するように動作しているが、撮影手順は適宜変更することができる。例えば、撮影の種類（全身撮影、アップ撮影等）、プリント紙のデザイン、合成対象画像の選択等は適宜変更可能であり、落書き処理などのその他の編集処理ができるようにしてもよいし、上記のいずれかの処理を省略することもできる。
【００８２】
＜１０−６＞
上記実施形態に係る撮影装置では、上部ユニット２を下部ユニット１の背面に折り畳むように構成されているが、これに限定されない。すなわち、上部ユニット２及び下部ユニット１の形状にもよるが、上部ユニット２を、下部ユニット１の前面や、いずれかの側面に折り畳むような構成であってもよく、要するに、撮影装置の上下方向の高さが低くなるように折り畳まれればよい。
【符号の説明】
【００８３】
１  下部ユニット
１６  プリンタ（印刷部）
２  上部ユニット
２２  カバー
２３  第２発光ユニット（照明部）
２４  第３発光ユニット（照明部）
２５  カメラ
２６  タッチパネルディスプレイ（操作部）
４  第１連結具（第１保持手段、第１ロック機構）
５  第２連結具（第１保持手段、第２ロック機構）
６  第３連結具（第２保持手段）
【図１】
2020060699.tif 000003
【図２】
2020060699.tif 000004
【図３】
2020060699.tif 000005
【図４】
2020060699.tif 000006
【図５】
2020060699.tif 000007
【図６】
2020060699.tif 000008
【図７】
2020060699.tif 000009
【図８】
2020060699.tif 000010
【図９Ａ】
2020060699.tif 000011
【図９Ｂ】
2020060699.tif 000012
【図１０】
2020060699.tif 000013
【図１１】
2020060699.tif 000014
【図１２】
2020060699.tif 000015
【図１３】
2020060699.tif 000016
【図１４】
2020060699.tif 000017
【図１５】
2020060699.tif 000018
【図１６】
2020060699.tif 000019
【図１７】
2020060699.tif 000020
【図１８】
2020060699.tif 000021